(57)【要約】   本発明は、異種物質の貯蔵空間が形成された受容部を有する本体と、加圧下で下部開閉孔を開く為に受容部の下部開閉孔に備えた密閉部を含むことを特徴とする、容器に受容された物質と異なる異種物質を含む容器の排出部に設けるキャップ受容装置を提供する。【選択図】図１
2009519873.tif 000002
【特許請求の範囲】
【請求項１】
異種物質の貯蔵空間が形成された受容部を有する本体；加圧下で下部開閉孔を開く為に受容部の下部開閉孔に備えた密閉部を含むことを特徴とする、容器に受容された物質と異なる異種物質を含む容器の排出部に設けるキャップ受容装置。
【請求項２】
前記受容部は本体に組み立てられたことを特徴とする、請求項１記載のキャップ受容装置。
【請求項３】
異種物質の貯蔵空間が形成された受容部を有する本体；加圧下で下部開閉孔を開く為に受容部の下部開閉孔に備えた密閉部を含み、異種物質が容器に排出されて容器に受容された基本物質と混合されることを特徴とする、容器に受容された物質と異なる異種物質を含む容器の排出部に設けるキャップ受容装置。
【請求項４】
容器に圧力が加わると、下部開閉孔を塞いでいる密閉部が下部開閉孔を開放するために上向されながら、下部開閉孔を通じて異種物質が排出されて容器に受容された基本物質と混合されることを特徴とする、請求項３記載のキャップ受容装置。
【発明の詳細な説明】
【技術分野】
【０００１】
本発明は容器を密閉するキャップ受容装置に関するもので、より詳しくは、例えば容器に受容された水または飲み物のような物質（成分）と異なる、例えば濃縮液または顆粒のような異なる異種物質（成分）を含む貯蔵空間を備えるキャップ受容装置に関するものである。
【０００２】
このようなキャップ受容装置は、医療、製薬、化粧品等の産業分野に多様に用いられることができる。
【背景技術】
【０００３】
一般に、容器内部の液体と、添加剤としての顆粒または濃縮液、または二酸化炭素、ビタミン粉末等のような異種物質を混合させるためには、容器には異種物質を貯蔵する為の別途の空間が必要である。
【０００４】
容器内で二つ以上の物質を混合するための構造は米国特許第９３７、０４９号明細書（1909年10月19日）号を含んで５、０００以上が提案されている。
【０００５】
しかしながら、上記特許に開示された容器は、生産ラインの非効率性、使用の便利性などの問題点が有って大衆化されることができない。
【０００６】
容器の構造変更、または使用時の排出装置を開放する過度な力により招来されるエルボーの損傷の問題点なく、容器内に受容された一つ以上の物質を混合するために容器およびキャップ受容装置をより容易に取り扱うことに対する別の必要が有る。
【０００７】
最近、PCT/EP2002/004523（2002年01月17日）、そして日本国特願2001-00185428（2001年06月19日）は、他の構造を提示したが、商業的に成功しなかった。
【０００８】
そして、容器内部の圧力によって容器首に機密を維持し、容器内部の圧力が解除されると開く形式の排出装置が提案された。しかし、このような排出装置は圧力が印加されない容器には使用できなかった。
【０００９】
また、使用時に容器を振る過程で薄板を破壊して異種物質を貯蔵空間から容器に排出する衝撃装置もあるが、しかし、この衝撃装置は小さい衝撃により容易に開放される短所が発生する。
【００１０】
貯蔵空間の事故的な開放を防止するためには、衝撃装置はタイトするように組み立てられるべきである。しかし、この場合には、、衝撃装置が重くなるという問題点が発生する。
【発明の開示】
【発明が解決しようとする課題】
【００１１】
詳述した従来技術の問題点で、本発明の目的は、加圧下で容器に受容された基本物質と便利に混合される異種物質の貯蔵空間が備えたキャップ受容装置を提供することにある。
【００１２】
本発明の他の目的は、変形しなくて従来の容器にそのまま用いることができるキャップ受容装置を提供することにある。
【課題を解決するための手段】
【００１３】
前記目的を実現するために、本発明による容器に受容された物質と異なる異種物質を含む、容器の排出部に設けるキャップ受容装置は、異種物質の貯蔵空間が形成された受容部を有する本体；加圧下で下部開閉孔を開く為に受容部の下部開閉孔に備えた密閉部を含むことを特徴とする。
【００１４】
容器を加圧すると、下部開閉孔を密閉する密閉部が下部開閉孔を開く為に上向されて、異種物質が下部開閉孔を通じて排出されて容器の基本物質と混合される。
【発明を実施するための最良の形態】
【００１５】
以下、本発明の好ましい実施形態を添付した図面を参照して説明する。以下の説明で、同一な引用番号は各々の異なる図面で同一な要素に使用されて、同一な引用番号の重複説明は省略された。
【００１６】
図１は本発明の望ましい実施形態によりキャップ受容装置１を示し、例えば飲み物容器のような容器の首に、スクリュー方式とかワンタッチ方式また接着などの方法で結合される。
【００１７】
図１のように、キャップ受容装置１は、上面部１１と側面部１２とからなる本体１０を含み、また貯蔵空間２１が形成された受容部２０を含む。
【００１８】
前記受容部２０は下部開閉孔２２を有して、前記開閉孔２２は密閉部３０によって機密されている。
【００１９】
前記貯蔵空間２１は密閉部３０によって機密されている下部開閉孔２２により異種物質を受容し、容器に圧力を加えると、密閉部３０が下部開閉孔２２を開くように上向きに動く。
【００２０】
前記密閉部３１には密閉部材３１が備えて、受容部２０の下部開閉孔２２を開く圧力は、密閉部材３１と下部開閉孔２２の内面との間の結合力に従って調節することができる。
【００２１】
そして、貯蔵空間２１に異種物質を入れて、受容部２０を本体１０に組み立てることが効果的である。
【００２２】
図１に示したように、貯蔵空間２１に異種物質が入れられた受容部２０を有するキャップ受容装置１は、減圧または真空状態の下で基本物質を受容する容器１００の首に結合される。
【００２３】
使用時に、容器１００を加圧すると、容器１００の内部に増加された圧力により密閉部３０が受容部を上部に押し出し、受容部２０の下部開閉孔２２が開きながら貯蔵空間２１の異種物質が容器１００の内部に排出されて混合されるものである。
【００２４】
発明者の実験によると、密閉部３０が開く速度は貯蔵空間２１に入れた異種物質の量に従って変える。
【００２５】
そして、密閉部３０が開く速度は下部開閉孔２２の大きさによっても変えることができる。
【００２６】
前記貯蔵空間２１が一定な圧力状態にあると、密閉部３０が開く速度は減少される。容器１００の内部に真空が掛かった状態であると、貯蔵空間２１から異種物質が容器内に排出される速度は増加される。
【００２７】
また、容器１００に圧力を多く加えば加えるほど、貯蔵空間２１から異種物質が容器内に排出される速度は早くなる。
【００２８】
容器１００の圧力印加により密閉部３０が開く過程を順次的に図３及び図４に表す。
【００２９】
図５乃至図７では、圧力によって受容部２０の下部開閉孔２２を弾力的に開くように各々のバルブ形態の密閉部３０を取ることを表している。
【００３０】
図８乃至図１１では、受容部２０の下部開閉孔２２を開くように密閉部３０が回転に動くことを表している。
【００３１】
前記密閉部３０の回転動きの為に、回転軸２３が受容部２０の下部開閉孔２２に横に備え、密閉部３０の下部に突起３２が形成され、密閉部３０の周囲には別の密閉部材３１が組み立てられる。
【００３２】
また、密閉部３０にはストッパー３３が備えて、開放位置に移動した密閉部３０が初期の密閉位置に回帰できないようにする。
【００３３】
図９は密閉部３０が開く状態を表し、図１０はストッパー３３によって下部開閉孔２２の開く状態が維持されている状態を表す。
【００３４】
図１１は回転軸２３を楕円形にして密閉部３０が弾力的に開くように構成したものである。
【００３５】
図１２では、図９に示した密閉部３０を支持する為に、係り敷居２４が下部開閉孔２２に形成されたことを表わしており、密閉部３０と下部開閉孔２２の間の密閉を改善する。
【００３６】
図１３では、密閉部３０が開いた後、開閉孔２２の周りに固定された形状を維持する変形例を表している。
【００３７】
図１４は、密閉部３０が開いた状態を維持して下部開閉孔２２を塞がないようにするために、下部開閉孔２２に網形の支持部２５が形成されたことを表している。
【００３８】
図１５では、密閉部３０の変形構造を示し、密閉部３０は下部開閉孔２２の内部に連結されたボース部と、そのボース部に連結された移動部をふくみ、移動部が開いた状態を維持するようにしたことを表している。
【００３９】
また、受容装置の上部には、本体にストローＳを挿入して使用できるストロー穿孔部１３を有するように変形されることもできる。
【００４０】
図１６は受容装置の他の実施形態を示し、受容装置は薄板形の密閉部３０を破壊する穿孔ピン２６をさらに含んで、下部開閉孔２２を開く為にように、加圧下で穿孔ピン２６が薄板形の密閉部３０を破壊することができる。
【００４１】
図１７では、図１６に示した穿孔ピンと違う穿孔ピン１４の変形例を示し、穿孔ピン１４は本体１０の上部１１の底部に形成されたものである。
【００４２】
図１８では、密閉部３０の変形例を示し、密閉部３０はＯリング形態になる。望ましくは、Ｏリング形態の密閉部３０は下部開閉孔２２の付近に形成された再密閉防止部２７により密閉位置に帰らない。
【００４３】
また、本発明の受容装置１は、本体１０の上部に別途の栓４０を形成することが良い。
【００４４】
図１９では、受容部２０の変形例を示し、受容部２０の上方をシール部材５０として機密させることを表す。
【００４５】
図２０は、受容部２０と本体１０を結合させる状態を表すことで、結合敷居１５、２８を形成して結合力を向上させることを表す。
【００４６】
図２１は、本体１０の変形例を示し、本体１０の上部にシール部材５０により機密処理したことを表す。
【００４７】
図２２は、本体１０の他の変形例を示し、本体１０もシール部材５０を用いてバリヤー性を向上させた例を表す。
【００４８】
図２３は、密閉部３０の変形例を示し、密閉部３０を圧真空形態に加工することができるのを表す。
【００４９】
図２４は、密閉部３０の変形例を示し、孔密閉部３０を丸形にできることを表す。
【００５０】
図２５乃至図２８は別途の蓋６０が備えたり、折綴部１６が備えた本発明のキャップ受容装置を使用することができるのを表す。
【００５１】
図２９は、本発明のキャップ受容装置がパウチ形態の容器の排出装置に適用されることができるのを表す。
【００５２】
図３０乃至図３２は、本発明のキャップ受容装置がワンタッチ方式の蓋にも用いられることができるのを表す。
【００５３】
図３３及び図３４は、本発明のキャップ受容装置が紙パックなどにも用いられることができるのを表す。
【００５４】
図３５は、本発明のキャップ受容装置が容器の底部に形成されることができるし、また図３６に表すように缶の蓋に適用できることを表す。
【００５５】
図３７及び図３８は、本発明のキャップ受容装置が排出台がある受容装置１にも適用されることができるのを表す。
【００５６】
例えば、図３７に示したように、蓋８０を開けると、排出台８１が上がり、同時に密閉部３０を引いて下部開閉孔２２が開いたり、または容器１００に圧力を加えても開閉孔２２が開くようにすることができる。
【００５７】
選択的には、排出台８１が形成された受容装置１に本発明の密閉部３０を適用させることができる。
【産業上の利用可能性】
【００５８】
上記に説明したように、本発明のキャップ受容装置は、容器内に受容された水、飲み物または他の液体と混合される濃縮液または顆粒の二つの異種物質の混合が容易、かつ便利になる。そして、 医療、製薬、化粧品等の多様な産業分野で有効に用いられることができる。
【図面の簡単な説明】
【００５９】
【図１】真空容器の首に結合される、本発明の第一実施形態によるキャップ受容装置の縦断面図である。
【図２】図１のキャップ受容装置を表し、受容部に圧力が発生される状態を表す。
【図３】図１及び図２で、異種物質の排出の為に受容部が開く過程を表すものである。
【図４】本発明のキャップ受容装置の受容部が完全に開いた状態を表す。
【図５】乃至
【図３８】本発明の多様な実施形態によるキャップ受容装置の縦断面図である。
【図１】
2009519873.tif 000003
【図２】
2009519873.tif 000004
【図３】
2009519873.tif 000005
【図４】
2009519873.tif 000006
【図５】
2009519873.tif 000007
【図６】
2009519873.tif 000008
【図７】
2009519873.tif 000009
【図８】
2009519873.tif 000010
【図９】
2009519873.tif 000011
【図１０】
2009519873.tif 000012
【図１１】
2009519873.tif 000013
【図１２】
2009519873.tif 000014
【図１３】
2009519873.tif 000015
【図１４】
2009519873.tif 000016
【図１５】
2009519873.tif 000017
【図１６】
2009519873.tif 000018
【図１７】
2009519873.tif 000019
【図１８】
2009519873.tif 000020
【図１９】
2009519873.tif 000021
【図２０】
2009519873.tif 000022
【図２１】
2009519873.tif 000023
【図２２】
2009519873.tif 000024
【図２３】
2009519873.tif 000025
【図２４】
2009519873.tif 000026
【図２５】
2009519873.tif 000027
【図２６】
2009519873.tif 000028
【図２７】
2009519873.tif 000029
【図２８】
2009519873.tif 000030
【図２９】
2009519873.tif 000031
【図３０】
2009519873.tif 000032
【図３１】
2009519873.tif 000033
【図３２】
2009519873.tif 000034
【図３３】
2009519873.tif 000035
【図３４】
2009519873.tif 000036
【図３５】
2009519873.tif 000037
【図３６】
2009519873.tif 000038
【図３７】
2009519873.tif 000039
【図３８】
2009519873.tif 000040
【国際調査報告】
2009519873.tif 000041
2009519873.tif 000042